(57)【要約】【課題】外部にこぼすことなく容易に粉体を充填でき、構造が簡単で製袋工程が少なくて済む粉体包装用袋を提供すること。【解決手段】袋体１の口部両側に三角形の折り畳み部３を形成し、袋体１の前後片の一方を第１の横折り線５に沿って外方へ折り開き、前後片を第２の横折り線６及び第３の横折り線７に沿って折り畳んで、先端部どうしが接着される閉鎖部８を形成し、折り畳み部３及び閉鎖部８の内面に封鎖片２を重合して、その一側端部を除く周囲部を閉鎖部８及び折り畳み部３に接着し、封鎖片２を閉鎖部８と共に第２及び第３の横折り線６，７に沿って折り畳む。【選択図】　　　図１
2004051190.tif 000002
【特許請求の範囲】
【請求項１】
扁平筒状の袋体の口部両側を内方へ折り込んで三角形の折り畳み部を形成し、前記袋体の前後片の一方を、前記袋体の両側縁と前記折り畳み部の斜辺との交点を結ぶ第１の横折り線に沿って外方へ折り開き、前記袋体の前後片を、左右の折り畳み部の斜辺中間部を結ぶ第２及び第３の横折り線に沿って内方へ折り畳んで、先端部どうしが接着される閉鎖部を形成した粉体包装用袋において、前記折り畳み部及び閉鎖部の内面に封鎖片を重合すると共に、該封鎖片の一側端部を除く周囲部を前記閉鎖部及び折り畳み部に接着し、前記封鎖片を前記閉鎖部と共に前記第２及び第３の横折り線に沿って内方へ折り曲げたことを特徴とする粉体包装用袋。
【請求項２】
前記封鎖片の一側端部を、前記折り畳み部側へ折り返した請求項１に記載の粉体包装用袋。
【発明の詳細な説明】
【０００１】
【発明の属する技術分野】
本発明は、セメント、穀粉、化学薬品等を収納するのに好適な粉体包装用袋に関する。
【０００２】
【従来の技術】
粉体を包装用袋内へ充填するには、底部が閉鎖された袋体の口部を開いた状態で支持し、ホッパ等から一定重量の粉体を袋体内へ落下させ、次いで、袋体の口部を折り畳んで閉鎖していた。
しかし、微細な粉体を上方から袋内へ落下させると、落下の衝撃により舞い上がって袋外に飛び散る虞があり、また、粉体を充填した後の袋口部の閉鎖も面倒であった。
【０００３】
そこで、袋本体の密封口部の内側において、一側に筒状弁或いは注入弁形成紙を貼着し、他側に密封紙片を貼着した粉体包装用紙袋が実用新案登録第３０４６９９６号公報及び実開平６−３９７３８号公報に開示されている。
上記従来の紙袋は、筒状弁或いは注入弁形成紙によって形成された弁の内部にノズルを差し込んで粉体を供給すると、粉体を外部にこぼすことなく容易に袋内へ注入でき、粉体充填後に袋口部を折り畳む必要もない。
しかし、これらのものは、弁と密封用の紙片とが別体なので、製袋が面倒である。
【０００４】
【発明が解決しようとする課題】
この発明は、外部にこぼすことなく容易に粉体を充填でき、構造が簡単で製袋工程が少なくて済む粉体包装用袋を提供することを課題とする。
【０００５】
【課題を解決するための手段】
本発明の粉体包装用袋は、扁平筒状の袋体の口部両側を内方へ折り込んで三角形の折り畳み部を形成し、前記袋体の前後片の一方を、前記袋体の両側縁と前記折り畳み部の斜辺との交点を結ぶ第１の横折り線に沿って外方へ折り開き、前記袋体の前後片を、左右の折り畳み部の斜辺中間部を結ぶ第２及び第３の横折り線に沿って内方へ折り畳んで、先端部どうしが接着される閉鎖部を形成し、前記折り畳み部及び閉鎖部の内面に封鎖片を重合すると共に、該封鎖片の一側端部を除く周囲部を前記閉鎖部及び折り畳み部に接着し、前記封鎖片を閉鎖部と共に前記第２及び第３の横折り線に沿って内方へ折り曲げる。
【０００６】
封鎖片の一側端部と一側の折り畳み部との間に、袋内外を連通するノズル挿入口が形成され、このノズル挿入口に注入ノズルを差し込んで粉体を供給することにより、外部にこぼすことなく容易に袋内へ粉体が充填される。
袋口部が、袋体と一枚の封鎖片とから構成されるので、構造が簡単で、製袋工程が少なくて済む。
封鎖片の一側端部を、前記折り畳み部側へ折り返しても良い。この構成により、ノズル挿入口が補強されて破れにくくなると共に、粉体注入ノズルを挿入し易くなり、自動製袋する際に製袋機で封鎖片の一側端部を把持しても破れにくい。
【０００７】
【発明の実施の形態】
以下、本発明の実施形態を図面に基づいて詳細に説明する。
図１及び図３に示すように、本発明の粉体包装用袋は、扁平筒状の袋体１と、一枚の封鎖片２とを備える。
袋体１の底部は、予め従来の袋と同様に折り畳まれて糊付けされ、密封されている。
【０００８】
図２に示すように、袋体１の口部は、その両側を内方へ折り込んで、左右対称な三角形の折り畳み部３が形成されると共に、前後片の一方を、袋体１の両側縁と折り畳み部３の斜辺４ａ，４ｂとの交点を結ぶ第１の横折り線５に沿って外方へ折り開いてある。
また、袋体１の前後片の先端部は、折り畳み部３の斜辺４ａ，４ｂの中間部を結び、第１の横折り線５と平行な第２の横折り線６及び第３の横折り線７に沿ってそれぞれ内方へ折り畳むことにより、先端部どうしが重合可能な閉鎖部８となっている。
【０００９】
図１に示すように、左右の折り畳み部３及び前後の閉鎖部８の内面には封鎖片２が重合される。
封鎖片２は、閉鎖部８の先端間の距離よりもやや狭い矩形であり、図４及び図１の破線で示すように、その一側端部には折り畳み部３側へ折り返した折り返し部１０が形成されている。そして、折り返し部１０を除いた封鎖片２の長さは、第２の横折り線６及び第３の横折り線７よりもやや短く形成される。
また、封鎖片２の一側端部を除く周囲部（図１の斜線部分Ａ）が折り畳み部３及び閉鎖部８に接着され、封鎖片２の両端部は、折り畳み部３の斜辺４ａ，４ｂ、第２の横折り線６及び第３の横折り線７で囲まれた袋閉鎖部分からはみ出さないようになっている。
【００１０】
そして、図４に示すように、封鎖片２及び閉鎖部８を、第２の横折り線６及び第３の横折り線７に沿って内方へ折り曲げ、閉鎖部８の先端部どうしを接着してある。
すると、封鎖片２の一側端部と一側の折り畳み部３との間に、袋内外を連通するノズル挿入口１１が形成されるので、このノズル挿入口１１に粉体注入ノズルを差し込んで粉体を供給すれば、粉体は外部にこぼれたり、落下の衝撃で舞い上がることなく確実に袋内へ充填される。
また、封鎖片２の端部には折り返し部１０が形成されているので、ノズル挿入口１１が補強され、粉体注入ノズルを差し込みやすい。
さらに、自動製袋機で封鎖片２を掴んで袋口部に貼着する際に、折り返し部１０が形成された端部を掴めば破れる心配がない。
【００１１】
【発明の効果】
請求項１に係る発明によれば、封鎖片の一側端部と一側の折り畳み部との間に形成されたノズル挿入口に、粉体注入ノズルを差し込んで粉体を供給すると、粉体は外部にこぼれることなく確実に袋内に充填され、粉体充填後に口部を折り畳む必要がない。
また、一枚の封鎖片を貼着するだけで、他の工程は従来と同様にして口部を形成することができるので、構造が簡単で製袋工程も少なくて済む。
請求項２に係る発明によれば、ノズル挿入口が補強されるので、粉体注入ノズルを差し込みやすく、また、自動製袋機で封鎖片を掴んで袋口部に貼着する際に、封鎖片の一側端部を掴めば破れる心配がない。
【図面の簡単な説明】
【図１】粉体包装用袋の封鎖片を接着した状態における平面図
【図２】袋体の平面図
【図３】粉体包装用袋の閉鎖部接着後の平面図
【図４】封鎖片の斜視図
【符号の説明】
１　袋体
２　封鎖片
３　折り畳み部
４ａ，４ｂ　斜辺
５　第１の横折り線
６　第２の横折り線
７　第３の横折り線
８　閉鎖部
１０　折り返し部
１１　ノズル挿入口
【図１】
2004051190.tif 000003
【図２】
2004051190.tif 000004
【図３】
2004051190.tif 000005
【図４】
2004051190.tif 000006